(57)【要約】【課題】  利用者が快適に利用でき、かつ運用を円滑に行う還流型自動取引装置を提供する。【解決手段】  種類の異なる同一額面の貨幣を扱い入金貨幣を出金に流用すべく、一方の種類の貨幣を収容する補充貨幣収納部２１と、補充貨幣を収容する出金貨幣収納部３２と、入金貨幣を前記出金貨幣収納部へ収納すべく、該貨幣を一時的に収容する一時収納部３１と、他方の種類の貨幣を収容する回収貨幣収納部２２と、搬送部１３と、鑑別部１２と、各部を制御する制御部６０とを備えた還流型自動取引装置において、前記制御部は、入金された貨幣の鑑別結果で判明する一方の種類の貨幣を出金貨幣収納部に搬送させると共に、他方の種類の貨幣を回収貨幣収納部に搬送させる入金手段と、回収貨幣収納部に収容されている他方の貨幣を補充貨幣収納部へ搬送させる補充手段とを備える。【選択図】        図１
2005078397.tif 000002
【特許請求の範囲】
【請求項１】
少なくとも一対の種類を有する同一額面の貨幣を取り扱い、入金された貨幣を出金に流用可能の還流型自動取引装置において、
入金された貨幣の鑑別結果に基づいて、一方の種類の貨幣を出金に流用し、他方の種類の貨幣を回収する入金手段と
出金用の貨幣が不足すると、出金用貨幣を収容する出金用貨幣収納部に前記回収した他方の種類の貨幣を補充する補充手段とを備えることを特徴とする還流型自動取引装置。
【請求項２】
少なくとも一対の種類を有する同一額面の貨幣を取り扱い、入金された前記貨幣を出金に流用すべく、
予め、一方の種類の貨幣を補充用貨幣として収容する補充貨幣収納部と、
該補充貨幣収納部から補充された貨幣を出金貨幣として収容する出金貨幣収納部と、
入金された貨幣を前記出金貨幣収納部へ収納すべく、該貨幣を一時的に収容する一時収納部と、
該一時収納部で収容している貨幣において、他方の種類の貨幣を回収する回収貨幣収納部と、
前記各収納部へ前記貨幣を搬送する搬送部と、
搬送される前記貨幣を鑑別する鑑別部と、
前記各部を制御する制御部と、を備えた還流型自動取引装置において、
前記制御部は、入金された貨幣を前記鑑別部で鑑別させ、鑑別結果で判明する前記一方の種類の貨幣を前記出金貨幣収納部に搬送させると共に、前記他方の種類の貨幣を前記回収貨幣収納部に搬送させるべく、前記搬送部を駆動させる入金手段と、
前記回収貨幣収納部に収容されている他方の貨幣を前記補充用貨幣として前記補充貨幣収納部へ搬送させるべく、前記搬送部を駆動させる補充手段とを備えることを特徴とする還流型自動取引装置。
【請求項３】
更に、前記還流型自動取引装置は、額面が異なる貨幣を取扱うべく、
前記出金貨幣収納部に収容させる貨幣の種類を設定情報として記憶する設定情報記憶部と、
前記補充貨幣収納部で収容する貨幣の種類毎の数量を補充貨幣情報として記憶する補充貨幣情報記憶部とを備えており、
前記制御部は、入金された貨幣を前記鑑別部で鑑別させ、前記設定情報記憶部の前記設定情報に対応している貨幣を前記出金貨幣収納部に搬送させると共に、その他の貨幣を前記補充貨幣収納部に搬送させるべく、前記搬送部を駆動させる入金手段と、
前記出金貨幣収納部で収容する貨幣が所定量より低減したとき、前記補充貨幣収納部に収容している貨幣を前記鑑別部で鑑別させ、前記設定情報に示される同一額面の貨幣が前記出金貨幣収納部へ補充可能な数量であるか否かを前記出金貨幣情報記憶部の前記出金貨幣情報を参照して判定する判定手段と、
該判定手段で補充可能であると判断したとき、前記出金貨幣収納部に残る貨幣を前記回収貨幣収納部へ搬送させ、その後前記設定情報に示される同一額面の貨幣を前記補充貨幣収納部から前記出金貨幣収納部へ搬送させるべく、前記搬送部を駆動させ、搬送した貨幣に応じて前記補充貨幣情報を更新する補充手段と、を備えることを特徴とする請求項２記載の還流型自動取引装置。
【請求項４】
更に、前記還流型自動取引装置は、該装置の監視を行う監視装置と伝送路を介して通信するための通信部を備えており、
前記制御部は、前記補充貨幣収納部から前記出金貨幣収納部へ貨幣を補充すると、貨幣の補充を促す通知を前記監視装置に行うべく、前記通信部の制御を行う通信手段を備えることを特徴とする請求項２記載の還流型自動取引装置。
【請求項５】
更に、前記還流型自動取引装置は、該装置の監視を行う監視装置と伝送路を介して通信するための通信部を備えており、
前記制御部は、前記補充貨幣収納部から前記出金貨幣収納部へ貨幣を補充した後、前記出金用貨幣収納部に収容する貨幣が所定量より低減したとき、貨幣の補充を促す通知を前記監視装置に行うべく、前記通信部の制御を行う通信手段を備えることを特徴とする請求項２記載の還流型自動取引装置。
【請求項６】
前記制御部は、前記還流型自動取引装置が係員により起動され、前記出金貨幣収納部に貨幣が収容されていないとき、前記設定情報を前記係員に設定させる設定手段を備えることを特徴とする請求項３記載の還流型自動取引装置。
【請求項７】
前記補充貨幣収納部は前記還流型自動取引装置に脱着可能であり、
前記制御部は、係員により前記補充貨幣収納部が装着され前記出金貨幣収納部に貨幣が収容されていないとき、前記設定情報を前記係員に設定させる設定手段を備えることを特徴とする請求項３記載の還流型自動取引装置。
【請求項８】
更に、前記還流型自動取引装置は、該装置の監視を行う監視装置と伝送路を介して通信するための通信部を備えており、
前記制御部は、脱着可能な前記補充貨幣収納部が前記還流型自動取引装置に装着されたとき、前記出金貨幣収納部に紙幣が収容されていないと判断すると、該還流型自動取引装置が初期状態にあることを監視装置へ通知し、通知を受けた監視装置から前記設定情報を取得するために前記通信部の制御を行う設定手段を備えることを特徴とする請求項３記載の還流型自動取引装置。
【請求項９】
前記補充貨幣収納部は前記還流型自動取引装置に脱着可能であり、
前記制御部は、前記補充貨幣収納部が前記還流型自動取引装置に装着されたとき、前記出金貨幣収納部に紙幣が収容されていないと判断すると、前記係員に金種を前記設定情報に設定させ、該設定情報に基づいて前記補充貨幣収納部に収容している紙幣を前記出金貨幣収納部へ収容した後、前記補充貨幣情報記憶部を参照し、同一額面で同一種類の紙幣を前記出金貨幣収納部に収容していると判断したとき、券種を前記設定情報に設定し、同一額面で種類の異なる紙幣を前記出金貨幣収納部に収容していると判断したとき、金種を前記設定情報に設定する設定手段を備えることを特徴とする請求項３記載の還流型自動取引装置。
【請求項１０】
前記自動取引装置は、前記制御部の制御に基づいて表示内容を変更可能の表示部を備えており、
前記制御部は、前記出金用貨幣収納部から出金する貨幣の額面および貨幣の種類を前記表示部に表示させる表示手段を備えることを特徴とする請求項２記載の還流型自動取引装置。
【請求項１１】
少なくとも一対の種類を有する同一額面の貨幣を取り扱い、入金された前記貨幣を出金に流用すべく、
予め、一方の種類の貨幣を補充用貨幣として収容する補充貨幣収納部と、
該補充貨幣収納部から補充された貨幣を出金貨幣として収容する出金貨幣収納部と、
入金された貨幣を前記出金貨幣収納部へ収納すべく、該貨幣を一時的に収容する一時収納部と、
該一時収納部で収容している貨幣において、他方の種類の貨幣を回収する回収貨幣収納部と、
前記各収納部へ前記貨幣を搬送する搬送部と、
搬送される前記貨幣を鑑別する鑑別部と、
伝送路を介して通信するための通信部と、
前記各部を制御する制御部とを備えており、
前記制御部は、入金された貨幣を前記鑑別部で鑑別させ、鑑別結果で判明する前記一方の種類の貨幣を前記出金貨幣収納部に搬送させると共に、前記他方の種類の貨幣を前記回収貨幣収納部に搬送させるべく、前記搬送部を駆動させる入金手段と、
前記回収貨幣収納部に収容されている他方の貨幣を前記補充用貨幣として前記補充貨幣収納部へ搬送させるべく、前記搬送部を駆動させる補充手段と、
前記通信部を起動させる通信手段と、を備える複数の還流型自動取引装置と、
該各還流型自動取引装置と前記伝送路を介して得る前記各還流型自動取引装置の前記各出金貨幣収納部から出金する貨幣の種類に基づいて、前記一方の種類の貨幣を出金する前記還流型自動取引装置を利用者に把握させる案内装置と、を備えることを特徴とする還流型自動取引システム。
【発明の詳細な説明】
【技術分野】
【０００１】
本発明は、現金の授受を自動的に行う自動取引装置、特に入金された貨幣を出金用の貨幣として流用する還流型の自動取引装置に関するものである。
【背景技術】
【０００２】
銀行などの金融機関に設置されるＡＴＭ（automated teller machine）などの自動取引装置は、少なくとも貨幣を入金および出金する機能を有する。該自動取引装置は、入金された紙幣を出金用に流用する貨幣還流型が一般的である。還流型の自動取引装置は、該装置に着脱可能の補充カセットと該補充カセットから貨幣の補充を受けるスタッカと、該スタッカから出金される貨幣および利用者が入金した貨幣を鑑別する鑑別部と、補充および入出金する貨幣を搬送する搬送部と、前記した各構成を統括的に制御する制御部とを備えており、補充カセットには、鑑別部の鑑別で汚損有りと判断された貨幣を収容するリジェクト部が設けられている。
【０００３】
前記した構成から成る従来の還流型自動取引装置は、例えば一万円紙幣を取扱い貨幣とするとき、該一万円紙幣において新券および旧券が市場に流通しているとき、２つの様式で処理を行う。
一方は、入金される新券および旧券を区別して収容する処理であり、該処理を行うべく、制御部は入金された紙幣を鑑別部に鑑別させ、該鑑別結果で新券と判定した一万円券をスタッカに収容し、旧券と判定した一万円券をリジェクト部に収容すべく、搬送部を駆動させる。
他方は、入金される新券および旧券を混同してスタッカに収容する処理であり、該処理を行うべく、制御部は入金された紙幣を鑑別部に鑑別させ、該鑑別結果で汚損や真贋に問題の無い新旧の一万円券をスタッカに収容すべく、搬送部を駆動させる。このとき、鑑別結果に基づいて収容する紙幣は、補充カセットからスタッカに補充された新券の上に、順次集積される。
【発明の開示】
【発明が解決しようとする課題】
【０００４】
ところが、従来の還流型自動取引装置は、前記した一方の処理において、新券よりも旧券の方が市場に多く出回っているような時期には、旧券の入金が多く、旧券を収容するリジェクト部が満杯になる頻度が多くなり、該還流型自動取引装置の取引休止時間が増え、これが問題となっていた。また、該装置内に同一額面の旧券が有るにも係らず取引が停止されることから、新券および旧券の種類を気にしない利用者へのサービスが低下することも問題となっていた。
【０００５】
また、前記他方の処理においても、新券よりも旧券の方が市場に多く出回っているような時期には、旧券の入金が多く、入金された貨幣を出金用に利用すべく、新券の上に順次収容された貨幣を出金用に利用すると、積極的に新券を出金することができず、新券の市場流通を促すことができず、これが問題となっていた。また、新券および旧券を混同して収容することから、確実に新券を出金することができず、新券を欲している利用者へのサービスが低下することも問題となっていた。
【０００６】
従って、前記した課題に鑑みて、本発明は還流型自動取引装置の利用者が快適に利用でき、かつ運用を円滑に行う還流型自動取引装置を提供することにある。
【課題を解決するための手段】
【０００７】
本発明は、以上の点を解決するために、次の構成を採用する。
少なくとも一対の種類を有する同一額面の貨幣を取り扱い、入金された貨幣を出金に流用可能の還流型自動取引装置において、入金された貨幣の鑑別結果に基づいて、一方の種類の貨幣を出金に流用し、他方の種類の貨幣を回収する入金手段と、出金用の貨幣が不足すると、出金用貨幣を収容する出金用貨幣収納部に前記回収した他方の種類の貨幣を補充する補充手段とを備えることを特徴とする。
【０００８】
少なくとも一対の種類を有する同一額面の貨幣を取り扱い、入金された前記貨幣を出金に流用すべく、予め、一方の種類の貨幣を補充用貨幣として収容する補充貨幣収納部と、該補充貨幣収納部から補充された貨幣を出金貨幣として収容する出金貨幣収納部と、入金された貨幣を前記出金貨幣収納部へ収納すべく、該貨幣を一時的に収容する一時収納部と、該一時収納部で収容している貨幣において、他方の種類の貨幣を回収する回収貨幣収納部と、前記各収納部へ前記貨幣を搬送する搬送部と、搬送される前記貨幣を鑑別する鑑別部と、前記各部を制御する制御部と、を備えた還流型自動取引装置において、前記制御部は、入金された貨幣を前記鑑別部で鑑別させ、鑑別結果で判明する前記一方の種類の貨幣を前記出金貨幣収納部に搬送させると共に、前記他方の種類の貨幣を前記回収貨幣収納部に搬送させるべく、前記搬送部を駆動させる入金手段と、前記回収貨幣収納部に収容されている他方の貨幣を前記補充用貨幣として前記補充貨幣収納部へ搬送させるべく、前記搬送部を駆動させる補充手段とを備えることを特徴とする。
【０００９】
更に、前記還流型自動取引装置は、額面が異なる貨幣を取扱うべく、前記出金貨幣収納部に収容させる貨幣の種類を設定情報として記憶する設定情報記憶部と、
前記補充貨幣収納部で収容する貨幣の種類毎の数量を補充貨幣情報として記憶する補充貨幣情報記憶部とを備えており、前記制御部は、入金された貨幣を前記鑑別部で鑑別させ、前記設定情報記憶部の前記設定情報に対応している貨幣を前記出金貨幣収納部に搬送させると共に、その他の貨幣を前記補充貨幣収納部に搬送させるべく、前記搬送部を駆動させる入金手段と、前記出金貨幣収納部で収容する貨幣が所定量より低減したとき、前記補充貨幣収納部に収容している貨幣を前記鑑別部で鑑別させ、前記設定情報に示される同一額面の貨幣が前記出金貨幣収納部へ補充可能な数量であるか否かを前記出金貨幣情報記憶部の前記出金貨幣情報を参照して判定する判定手段と、該判定手段で補充可能であると判断したとき、前記出金貨幣収納部に残る貨幣を前記回収貨幣収納部へ搬送させ、その後前記設定情報に示される同一額面の貨幣を前記補充貨幣収納部から前記出金貨幣収納部へ搬送させるべく、前記搬送部を駆動させ、搬送した貨幣に応じて前記補充貨幣情報を更新する補充手段と、を備えることを特徴とする。
【００１０】
更に、前記還流型自動取引装置は、該装置の監視を行う監視装置と伝送路を介して通信するための通信部を備えており、前記制御部は、前記補充貨幣収納部から前記出金貨幣収納部へ貨幣を補充すると、貨幣の補充を促す通知を前記監視装置に行うべく、前記通信部の制御を行う通信手段を備えることを特徴とする。
更に、前記還流型自動取引装置は、該装置の監視を行う監視装置と伝送路を介して通信するための通信部を備えており、前記制御部は、前記補充貨幣収納部から前記出金貨幣収納部へ貨幣を補充した後、前記出金用貨幣収納部に収容する貨幣が所定量より低減したとき、貨幣の補充を促す通知を前記監視装置に行うべく、前記通信部の制御を行う通信手段を備えることを特徴とする。
【００１１】
前記制御部は、前記還流型自動取引装置が係員により起動され、前記出金貨幣収納部に貨幣が収容されていないとき、前記設定情報を前記係員に設定させる設定手段を備えることを特徴とする。
前記補充貨幣収納部は前記還流型自動取引装置に脱着可能であり、前記制御部は、係員により前記補充貨幣収納部が装着され前記出金貨幣収納部に貨幣が収容されていないとき、前記設定情報を前記係員に設定させる設定手段を備えることを特徴とする。
【００１２】
更に、前記還流型自動取引装置は、該装置の監視を行う監視装置と伝送路を介して通信するための通信部を備えており、前記制御部は、脱着可能な前記補充貨幣収納部が前記還流型自動取引装置に装着されたとき、前記出金貨幣収納部に紙幣が収容されていないと判断すると、該還流型自動取引装置が初期状態にあることを監視装置へ通知し、通知を受けた監視装置から前記設定情報を取得するために前記通信部の制御を行う設定手段を備えることを特徴とする。
【００１３】
前記補充貨幣収納部は前記還流型自動取引装置に脱着可能であり、前記制御部は、前記補充貨幣収納部が前記還流型自動取引装置に装着されたとき、前記出金貨幣収納部に紙幣が収容されていないと判断すると、前記係員に金種を前記設定情報に設定させ、該設定情報に基づいて前記補充貨幣収納部に収容している紙幣を前記出金貨幣収納部へ収容した後、前記補充貨幣情報記憶部を参照し、同一額面で同一種類の紙幣を前記出金貨幣収納部に収容していると判断したとき、券種を前記設定情報に設定し、同一額面で種類の異なる紙幣を前記出金貨幣収納部に収容していると判断したとき、金種を前記設定情報に設定する設定手段を備えることを特徴とする。
前記自動取引装置は、前記制御部の制御に基づいて表示内容を変更可能の表示部を備えており、前記制御部は、前記出金用貨幣収納部から出金する貨幣の額面および貨幣の種類を前記表示部に表示させる表示手段を備えることを特徴とする。
【００１４】
少なくとも一対の種類を有する同一額面の貨幣を取り扱い、入金された前記貨幣を出金に流用すべく、予め、一方の種類の貨幣を補充用貨幣として収容する補充貨幣収納部と、該補充貨幣収納部から補充された貨幣を出金貨幣として収容する出金貨幣収納部と、入金された貨幣を前記出金貨幣収納部へ収納すべく、該貨幣を一時的に収容する一時収納部と、該一時収納部で収容している貨幣において、他方の種類の貨幣を回収する回収貨幣収納部と、前記各収納部へ前記貨幣を搬送する搬送部と、搬送される前記貨幣を鑑別する鑑別部と、伝送路を介して通信するための通信部と、前記各部を制御する制御部とを備えており、前記制御部は、入金された貨幣を前記鑑別部で鑑別させ、鑑別結果で判明する前記一方の種類の貨幣を前記出金貨幣収納部に搬送させると共に、前記他方の種類の貨幣を前記回収貨幣収納部に搬送させるべく、前記搬送部を駆動させる入金手段と、前記回収貨幣収納部に収容されている他方の貨幣を前記補充用貨幣として前記補充貨幣収納部へ搬送させるべく、前記搬送部を駆動させる補充手段と、前記通信部を起動させる通信手段と、を備える複数の還流型自動取引装置と、該各還流型自動取引装置と前記伝送路を介して得る前記各還流型自動取引装置の前記各出金貨幣収納部から出金する貨幣の種類に基づいて、前記一方の種類の貨幣を出金する前記還流型自動取引装置を利用者に把握させる案内装置とを備えるシステム。
【発明の効果】
【００１５】
前記したように、少なくとも一対の種類を有する同一額面の貨幣を取り扱う本発明の還流型自動取引装置によれば、該還流型自動取引装置の制御部が、入金された貨幣を鑑別部で鑑別させ、鑑別結果で判明する一方の種類の貨幣を出金貨幣収納部に搬送させると共に、他方の種類の貨幣を回収貨幣収納部に搬送させるべく、搬送部を駆動させる入金手段と、回収貨幣収納部に収容されている他方の貨幣を補充用貨幣として補充貨幣収納部へ搬送させるべく、搬送部を駆動させる補充手段とを備えることにより、入金された貨幣の種類を混在させることなく、貨幣の種類に応じて入金された貨幣を収容し、一方の貨幣を収容する出金貨幣収納部に補充を行うとき、前記補充貨幣収納部から同一額面で他方の種類の貨幣が補充されることから、一方の種類の貨幣を優先的に出金することができ、かつ出金用貨幣の不足による取引休止が発生する恐れを低減することができる。
【発明を実施するための最良の形態】
【００１６】
以下、本発明の実施形態を図を用いて詳細に説明する。
【実施例１】
【００１７】
銀行どの金融機関などに設けられたＡＴＭ（automated teller machine）と称される本発明の還流型自動取引装置（以降、単にＡＴＭと称す）の機能ブロックが図１に示されている。一般的なＡＴＭは、硬貨および紙幣などの貨幣を取扱い可能であるが、本実施例では、紙幣を取扱う例で説明を行う。また、当該ＡＴＭ１０は、同一額面でありながら種類の異なる紙幣、すなわち一方の種類の紙幣として新券、他方の種類の紙幣として旧券を取り扱う例で説明を行う。
【００１８】
ＡＴＭ１０は、利用者との入出金を行うための受渡部１１と、入出金する紙幣を鑑別する鑑別部１２と、入出金する紙幣を搬送するための機構を備えた搬送部１３と、伝送路を介して通信するための通信部１４と、案内画面を表示するための表示部１５と、補充すべき紙幣を収容する補充カセット２０と、入金される紙幣を一時的に収容する一時収納部３１と、前記補充カセット２０から補充される紙幣を出金貨幣として収容する出金貨幣収納部としてのスタッカ３２と、紙幣の額面および紙幣の種類（新券または旧券）を管理するための記憶部４０と、鑑別部１２で汚損有りと判定した紙幣を収容するリジェクトカセット５０と、前記各部を制御する制御部６０とを備える。
【００１９】
また、搬送部１３の駆動で紙幣が搬送される経路が簡略的に図２に示されており、受渡部１１、鑑別部１２、搬送部１３、補充カセット２０、一時収納部３１、スタッカ３２およびリジェクトカセット５０から成る構成を入出金機７０と称し、以降の説明を行う。この入出金機７０に前記制御部６０の制御機能の一部を備えさせるべく第２の制御部を設けてもよく、その場合第２の制御部は制御部６０からの指示に基づいて動作する。
受渡部１１は、図２に示す入出金貨幣集積部１１１および入金貨幣リジェクト部１１２を備えており、図示しないシャッターにより紙幣が授受可能になるまで利用者と遮断する機能を有する。
入出金紙幣集積部１１１は、利用者が投入した紙幣を一枚ずつ搬送路に送り出す繰り出し機能と、搬送路から送られてきた紙幣を集積する集積機能とを有している。
入金紙幣リジェクト部１１２は、利用者から入金された紙幣において、鑑別部の鑑別結果で額面および種類が認識できない紙幣を利用者に返却すべく、搬送路から返却される紙幣を集積する機能を有する。
【００２０】
また、受渡部１１の入出金紙幣集積部１１１および入金紙幣リジェクト部１１２間には、図示しない可倒型の仕切り板で仕切られており、入出金紙幣集積部１１１に紙幣がないとき、該仕切り板を倒して入金紙幣リジェクト部１１２に集積された紙幣が入出金紙幣集積部１１１へ移動され、リジェクトされた紙幣が入出金紙幣集積部１１１から利用者に返却される。
【００２１】
鑑別部１２は、従来から知られた各種センサを備えており、搬送されてくる紙幣を該各センサを用いて一枚ずつ鑑別する。鑑別内容は、紙幣の額面および紙幣の種類（新券、旧券などの種類）を区別した券種、汚損の程度および真贋などである。
搬送部１３は、図２に示すように、受渡部１１、鑑別部１２、補充カセット２０、一時収納部３１、スタッカ３２およびリジェクトカセット５０間で搬送路を介して紙幣を搬送するための機構を備えている。
【００２２】
通信部１４は、図３に示すように、複数のＡＴＭを監視するための監視装置８０と通信するための機能を有しており、補充カセット２０からスタッカ３２へ紙幣を補充すると、後述する監視装置に紙幣補充を促す通知を行う。また、店舗内に複数のＡＴＭ１０が設けられているとき、通信部１４は、ＡＴＭ１０が取扱う券種や各種の案内を総合的に行う案内板の表示内容に必要な種々の情報を案内装置に通知すべく通信を行う。
【００２３】
表示部１５は、ＡＴＭが取り扱う科目や券種などの情報を利用者に提供すべく、これらの情報を表示するＡＴＭ１０のディスプレイや取引表示装置などの案内装置である。
補充カセット２０は、補充貨幣収納部２１と、回収貨幣収納部２２と、補充リジェクト部２３とで構成されており、着脱可能な機能を有する。
【００２４】
補充貨幣収納部２１には、市場に流通させるべき新券が予め収容されている。
補充貨幣収納部２１は、図示しない可動型のステージを備えており、該ステージの上面に紙幣が集積される。補充貨幣収納部２１は、装填処理および補充処理時にステージが補充貨幣収納部２１の上方へ移動し、該ステージ上面の紙幣を搬送路へ送出するための送り出し機能を有する。該送り出し機能により、補充貨幣収納部２１で収容している紙幣が搬送路へ送り出され、送り出された紙幣が搬送路を介してスタッカ３２へ送られる。前記ステージの下には、回収貨幣収納部２２が設けられており、該回収貨幣収納部２２から押し上げられた紙幣を保持する保持機能を有する。
【００２５】
回収貨幣収納部２２は、入金された紙幣を鑑別部１２で鑑別し、スタッカ３２に収容される同一額面の旧券を収容する。つまり、入金された紙幣において、スタッカ３２に収容許可されている額面の新券が該スタッカ３２に収容され、同一額面の旧券が回収貨幣収納部２２に収容される。該回収貨幣収納部２２は、図示しないステージを備えており、搬送されてくる紙幣を回収貨幣としてステージ上面へ集積する機能を有し、集積した紙幣を補充貨幣収納部２１へ補充すべく、前記ステージを回収貨幣収納部２２の上方へ移動させ、補充貨幣収納部２１に回収貨幣を補充する回収貨幣補充転用機能とを有する。
補充リジェクト部２３は、補充および装填処理において、鑑別部１２の鑑別結果で汚損が著しいと判断された紙幣や真贋などの問題により、スタッカ３２に収容すべきでないと判断された紙幣を収容する。
【００２６】
リジェクトカセット５０は、取込部５１とリジェクト部５２とを備えており、着脱可能な機能を有する。
取込部５１は、出金処理において、利用者が受渡部１１に出金された紙幣を取り忘れたとき、該紙幣が収容される。
リジェクト部５２は、出金、入金および回収処理において、鑑別部１２での鑑別結果で汚損が著しいと判断された紙幣や真贋などに問題のある紙幣などが収容される。
【００２７】
一時収納部３１の下部には、図２に示すように、スタッカ３２が設けられている。一時収納部３１およびスタッカ３２を一対とし、この対が３組備えられている。つまり、第１の組は一時収納部３１ａおよびスタッカ３２ｂであり、第２の組は一時収納部３１ｂおよびスタッカ３２ｂであり、第３の組は一時収納部３１ｃおよびスタッカ３２ｃである。本実施例では、一対の一時収納部３１およびスタッカ３２が、３組設けられた例で説明を行うが、適宜この組数を変更してもよい。
【００２８】
各組のスタッカは、予め設定された券種に応じた紙幣を収容する。第１の組のスタッカ３２ａで新一万円券、第２の組のスタッカ３２ｂも新一万円券、第３の組のスタッカ３２ｃで新千円券を収容するように設定された例で以降の説明を行う。
【００２９】
一時収納部３１ａ、一時収納部３１ｂおよび一時収納部３１ｃのそれぞれは、入金時の計数処理において、搬送路から排出される紙幣を一時的に集積する集積機能と、該集積機能で集積した紙幣を図示しない可動仕切り板で仕切られているスタッカ３２ａ、スタッカ３２ｂおよびスタッカ３２ｃのそれぞれへ収容させる収納機能と、入金処理の途中で利用者がキャンセルしたとき、入金された紙幣を返却すべく、搬送路に紙幣を送出する繰り出し機能とを有する。
【００３０】
スタッカ３２ａ、スタッカ３２ｂおよびスタッカ３２ｃは、図示せぬステージを備えており、入金、装填および補充処理時には、上部から受入れた紙幣を順に集積すべく、該ステージが下方に移動する。また出金および紙幣回収処理時には、該ステージ上面に集積している紙幣をスタッカの上部に押し上げるべく、該ステージが上方に移動する。
【００３１】
記憶部４０は、各スタッカ３２ａ、３２ｂおよび３２ｃに収容されている券種毎の紙幣量を記憶する出金貨幣情報記憶部４１と、補充貨幣収納部２１に収容する貨幣の券種毎の紙幣量を補充貨幣情報として保持する補充貨幣情報記憶部４２と、係員に設定された情報を記憶する設定情報記憶部４３とを備える。記憶部４０には、便宜的に相対アドレスを付しており、該相対アドレスを用いて以降の説明を行う。
記憶部４０に備えた出金貨幣情報記憶部４１は、各スタッカ３２ａ、３２ｂおよび３２ｃ毎に、各スタッカに収容している紙幣を券種毎にその数量を記憶する。
【００３２】
例えば、図５に示されているように、スタッカ３２ａに収容する紙幣の数量は、旧千円券の枚数を相対アドレス０〜相対アドレス３、旧万円券の枚数が相対アドレス４〜相対アドレス７、新千円券の枚数が相対アドレス８〜相対アドレス１１、新万円券の枚数が相対アドレス１２〜相対アドレス１５、新旧５千円券の枚数が相対アドレス１６〜相対アドレス１９、新旧２千円券の枚数が相対アドレス２０〜相対アドレス２３で記憶される。また、スタッカ３２ｂの紙幣の数量は、券種に対応して相対アドレス２４〜相対アドレス４７で記憶され、同様にスタッカ３２ｃの紙幣の数量は、相対アドレス４８〜相対アドレス７１で記憶される。
【００３３】
補充貨幣情報記憶部４２は、補充貨幣収納部２１のステージ上面に集積する紙幣の数量を券種毎に相対アドレスに対応させて記憶している。更に、補充貨幣情報記憶部４２は、補充貨幣収納部２１のステージ下の紙幣の数量を券種毎に相対アドレスに対応させて記憶し、回収貨幣収納部２２に収容している紙幣の紙幣の数量を券種毎に相対アドレスに対応させて記憶している。
設定情報記憶部４３は、図６に示されているように、係員が設定する種々の内容を設定情報として、相対アドレスに対応させ記憶する。
設定情報は、各出金貨幣収納部に収容させる紙幣の種類、新旧券の混同還流または新券のみの還流の何れか一方の動作で出金処理を行うための新旧切換可否、紙幣の残量が終了に近いことを判定するための条件、紙幣の残量の終了を判定するための条件、取り扱い券種の案内装置の表示可否、取り扱い券種の通報可否などである。この設定情報は、後述する設定パネルを介して係員に設定され、設定情報記憶部で保持される。係員により当該ＡＴＭ１０が起動され、スタッカ３２に貨幣が収容されていないとき、制御部６０は、係員に前記設定情報の設定を行わせる機能を有する。
【００３４】
図示の例では、スタッカ３２ａに保持させる券種が相対アドレス２００〜相対アドレス２０３に記憶され、スタッカ３２ｂに保持させる券種が相対アドレス２０４〜相対アドレス２０７に記憶され、スタッカ３２ｃに保持させる券種が相対アドレス２０８〜相対アドレス２１１に記憶され、新旧券の混同還流または新券のみの還流の何れか一方を選択するための新旧切換可否を示す情報が相対アドレス２１２〜相対アドレス２１５に記憶され、紙幣の残量が終了に近いことを判定するための条件が相対アドレス２１６〜相対アドレス２１９に記憶され、紙幣の残量の終了を判定するための条件が、相対アドレス２２０〜相対アドレス２２３に記憶され、取り扱い券種の表示可否を示す情報が相対アドレス２２４〜相対アドレス２２７に記憶され、取り扱い券種の通報可否を示す情報が相対アドレス２２８〜相対アドレス２３１に記憶される。
【００３５】
制御部６０は、設定手段、入金手段、出金手段、判定手段、補充手段、回収手段、切換手段、通信手段および表示手段などを行うために、前記した各部を統括的に制御する。各手段は、後述するＡＴＭの動作で説明する。
当該制御部６０が設けられている簡略的なＡＴＭ１０のブロック図を図４に示す。制御部６０は、図示しない外部インタフェースと接続されており、該外部インタフェースには、取引表示装置などが接続され、勘定処理を司るＨＯＳＴ処理装置、監視装置および案内板などが前記通信部１４を介して接続される。更に、制御部６０は、プログラムや各種設定のためのデータ、取引履歴のデータおよび前記入出金機内の貨幣量を管理するための記憶部４０に記憶させるデータを通信するための図示しない内部インタフェースと接続されている。
【００３６】
前記内部インタフェースは、利用者の通帳を用いて取引を行うための記帳機７１が接続されており、該記帳機７１には制御部６０からの指示に基づいて取引結果を印字するための印字ユニットが設けられている。更に、内部インタフェースには、利用者のキャッシュカードの磁気ストライプに記録されている情報を読取るためのカードリーダ７２、種々の設定を係員から受付けるための設定パネル７３、利用者からの入力操作を受けるタッチパネル７４、利用者の操作に応じて様々な情報を表示するディスプレイ７５および前記入出金機１００などが接続されており、それぞれ制御部６０の制御を受けて動作する。
【００３７】
ここで、金融機関の店舗内に設置された複数のＡＴＭ１０ａ、１０ｂおよび１０ｃと、該各ＡＴＭ１０の制御部６０ａ、６０ｂおよび６０ｃを介して接続する監視装置８０と、該各ＡＴＭ１０の上部に設けられた複数の取引表示装置８１ａ、８１ｂおよび８１ｃと、前記各ＡＴＭ１０が取扱う券種や各種の案内を総合的に行う案内板８２との接続関係を図３に示し説明を行う。
監視装置８０は、第１のＡＴＭ１０ａと、第２のＡＴＭ１０ｂと第３のＡＴＭ１０ｃとを監視すべく、警備会社や金融機関の担当係員の傍に設置される。監視装置は、ＡＴＭが取扱う貨幣の残量、印刷ユニットで印刷するレシートなどの印刷媒体の残量などを監視する。
【００３８】
各ＡＴＭ１０ａ、１０ｂおよび１０ｃは、それぞれ制御部６０ａ、６０ｂおよび６０ｃを備えており、該各制御部に接続する各外部インタフェースを介して、各取引表示装置８１ａ、８１ｂおよび８１ｃの制御を行う。
前記各取引表示装置８１ａ、８１ｂおよび８１ｃは、対応するＡＴＭにおける取り扱い可能科目や取り扱い紙幣の券種などを表示する。
また、各ＡＴＭ１０ａ、１０ｂおよび１０ｃには、該各ＡＴＭ１０ａ、１０ｂおよび１０ｃの外部インタフェースを介して、各種の案内を利用者に行う案内板８２が接続されている。
【００３９】
次に、本発明のＡＴＭ１０の動作をフローチャートを用いて詳細に説明する。
説明に用いるフローチャートは二つの図に分割されて示されており、その１が図８−１に、その２が図８−２に示されている。尚、以降の説明において、フローチャートを示す図８−１および図８−２を図８と総称する。
ＡＴＭ１０が、該ＡＴＭ１０の係員により起動されると、制御部６０はスタッカ３２ａ、３２ｂおよび３２ｃに紙幣が収容されているか否かを確認する（ステップＳ１）。制御部６０は、スタッカのステージを上下させて、該ステージ上面に紙幣が集積されているか否かを図示しない各種センサを用いて判定する（ステップＳ２）。この判定でスタッカ３２ａ、３２ｂおよび３２ｃに紙幣を収容しているとき、制御部６０は電源遮断時の継続状態にあると判断し、ＡＴＭ１０を待機状態に遷移させる。
【００４０】
一方、スタッカ３２ａ、３２ｂおよび３２ｃに紙幣が収容されていないとき、制御部６０は初期状態にあると判断し、スタッカ３２ａ、３２ｂおよび３２ｃに収容する紙幣の券種を係員に設定させるべく、設定パネル７３に券種設定の要求を表示させる制御を行う。この表示に従って、担当者はスタッカ３２ａおよびスタッカ３２ｂに新一万円券、スタッカ３２ｃに新千円券を設定すると、これらの設定内容が図６に示す設定情報記憶部４３の相対アドレス２００、２０４および２０８に保持される（ステップＳ３）。
【００４１】
次に、制御部６０は、出金処理により、スタッカ３２ａ、３２ｂおよび３２ｃに収容する紙幣が無くなった際に、同一額面で券種の異なる紙幣、つまり同一額面の旧券を出金用の紙幣として利用するか否かを係員に設定させるべく、設定パネル７３の制御を行う。本実施例では、同一額面の旧券を出金用の紙幣として利用する設定内容が、図６に示す設定情報記憶部４３の相対アドレス２１２に保持される（ステップＳ４）。
【００４２】
制御部６０は、出金用の紙幣が残り数取引で無くなる（以降、ニアエンドと称す）と判定する基準を係員に設定させるべく、設定パネル７３の制御を行う。ニアエンドの判定基準を設定することにより、制御部６０は、ニアエンドを検出すると、ニアエンドを検出したことを監視装置に通知するために通信部の制御を行うことができ、該監視装置の管理者に適切なタイミングで紙幣を補充する必要があることを知らせることができる。
【００４３】
ニアエンドを判定するための基準は複数あり、第１のニアエンド判定基準として、スタッカに収容している新券がニアエンドのとき、第２のニアエンド判定基準として、新券から同一額面の旧券に出金用の紙幣を切替えたとき、第３のニアエンド判定基準として、新券から同一額面の旧券に出金用の紙幣を切替えた後に旧券がニアエンドのとき、の何れか一つが図６に示す設定情報記憶部４３の相対アドレス２１６に設定される。本実施例では、前記した第２のニアエンド判定基準が設定される（ステップＳ５）。
【００４４】
次に、制御部６０は、１回の出金処理において、出金可能な紙幣量を保証できない（以降、エンドと称す）と判定する基準を係員に設定させるべく設定パネル７３の制御を行う。第１のエンド判定基準として新券および旧券を混在させても尚且つエンドのとき、第２のエンド判定基準として新券の紙幣量がエンドのとき、これらの何れか一方のエンド判定基準が図６に示す設定情報記憶部４３の相対アドレス２２０に設定される。本実施例では、前記した第１のエンド判定基準が設定される（ステップＳ６）。
【００４５】
制御部６０は、取り扱い紙幣の券種、つまり出金用紙幣が新券か若しくは旧券かをディスプレイ７５や、前記した取引表示装置および案内板８２に表示するか否かを係員に設定させるべく、設定パネル７３の制御を行う。本実施例では、表示する旨が図６に示す設定情報記憶部４３の相対アドレス２２４に設定される（ステップＳ７）。
制御部６０は、取り扱い紙幣の券種を監視装置８０に通知するか否かを係員に設定させるべく、設定パネル７３の制御を行う。本実施例では、監視装置８０へ通知する旨が図６に示す設定情報記憶部４３の相対アドレス２２８に設定される（ステップＳ８）。
【００４６】
引続き制御部６０は、係員に入出金機７０に紙幣を装填させるべく、装填要求を設定パネル７３に表示する。この表示に従って、係員が装填用の紙幣が詰まった補充カセット２０を入出金機７０に装着すると、制御部６０は、次に述べる装填処理を行う（ステップＳ１０）。
図２に示す入出金機において、各スタッカ３２ａ、３２ｂおよび３２ｃに収容している紙幣数量が少なくなってきたとき、補充カセット２０から紙幣が補充される処理も補充処理と同様であることから、装填処理および補充処理を同時に説明する。
【００４７】
装填・補充処理において、入出金機７０内の紙幣の搬送経路が図９に示されている。
制御部６０は、補充カセット２０の補充貨幣収納部２１に設けられたステージを上方に移動させ、補充貨幣収納部２１の上部からステージ上面に集積している紙幣を順次搬送路へ送出する。送出された紙幣は、搬送路を介して鑑別部１２へ送られると、鑑別部１２で鑑別される。制御部６０は、図６の設定情報記憶部４３の相対アドレス２００〜相対アドレス２１１の設定内容に基づいて、鑑別結果が新一万円券のとき、該紙幣を一時収納部３１ａに送り、一時収納部３１ａで集積許容量（以降、フルと称す）になるまで新一万円券を集積すると共に、集積する紙幣の枚数をカウントする。但し、一時収納部３１ａがフルになるよりも、１回の出金処理で出金される最大出金枚数分少ない状態（以降、ニアフルと称す）まで集積されているときには、次の一時収納部３１ｂがフルになるまで新一万円券を集積すると共に、集積する紙幣の枚数をカウントする。
また、一時収納部３１ａおよび一時収納部３１ｂが共にニアフル状態にあるとき、回収貨幣収納部２２がフルになるまで紙幣を搬送収容すると共に、該回収貨幣収納部２２に収容する紙幣の枚数を券種毎にカウントする。
【００４８】
一方、鑑別部１２での鑑別結果が新千円券のとき、制御部６０は一時収納部３１ｃがフルになるまで集積すると共に、集積する紙幣の枚数をカウントする。但し、一時収納部３１ｃがニアフルのとき、回収貨幣収納部２２がフルになるまで新千円券を収容すると共に、該回収貨幣収納部２２に収容する紙幣の枚数を券種毎にカウントする。
また、鑑別部１２での鑑別結果で汚損が酷い紙幣や真贋に問題がある紙幣は、補充リジェクト部２３がフルになるまで搬送され収容される。
【００４９】
一時収納部３１ａ、３１ｂおよび３１ｃがそれぞれフルになったとき、制御部６０は、補充カセット２０の補充貨幣収納部２１から紙幣の送出を停止し、一時収納部およびスタッカ間に設けられた可動仕切り板を退避させ、一時収納部３１ａ、３１ｂおよび３１ｃに集積しているそれぞれの紙幣を、対応する各スタッカ３２ａ、３２ｂおよび３２ｃに収容すると共に、一時収納部３１ａ、３１ｂおよび３１ｃのカウント値を図５に示す出金貨幣情報の相対アドレス０〜６８に対応させて加算し、一時収納部３１ａ、３１ｂおよび３１ｃのカウンタをクリアする。このとき、制御部６０は、各スタッカ３２ａ、３２ｂおよび３２ｃがニアフル状態になるまで紙幣が装填・補充されたか否かを判定し、ニアフル状態にないスタッカに紙幣を装填・補充すべく、補充カセット２０の補充貨幣収納部２１からの紙幣送出を再開する。
【００５０】
また、補充カセット２０の回収貨幣収納部２２がフルになったとき、制御部６０は、補充貨幣収納部２１からの紙幣送出を停止し、回収貨幣収納部２２に収容する紙幣を上部の補充貨幣収納部２１へ押し上げるべく、図示しない押し上げ機構を駆動させると共に、回収貨幣収納部２２に収容していた紙幣の券種毎のカウント値を図５に示す補充貨幣情報の相対アドレス９６〜１１６に対応させて加算し、回収貨幣収納部２２のカウンタをクリアする。
【００５１】
補充カセット２０の補充貨幣収納部２１のステージ上面の紙幣が全て無くなったとき、制御部６０は各スタッカ３２ａ、３２ｂおよび３２ｃの設定券種に対応した紙幣が収容されていることを確認し、搬送動作を停止する。更に、制御部６０は一時収納部およびスタッカ間に設けられた可動仕切り板を退避させ、一時収納部３１ａ、３１ｂおよび３１ｃに集積しているそれぞれの紙幣を、対応する各スタッカ３２ａ、３２ｂおよび３２ｃに収容すると共に、一時収納部３１ａ、３１ｂおよび３１ｃのカウント値を図５に示す出金貨幣情報の相対アドレス０〜６８に対応させて加算し、一時収納部３１ａ、３１ｂおよび３１ｃのカウンタをクリアする。
【００５２】
そして、制御部６０は回収貨幣収納部２２に収容している紙幣の券種毎のカウント値を図５に示す補充貨幣情報の相対アドレス９６〜１１６に対応させて加算し、回収貨幣収納部２２のカウンタをクリアする。
その後、制御部６０は設定パネル７３を介して、係員に運用に必要な紙幣の装填が完了したか否かを問い合わせる（ステップＳ１１）。完了していなければ、前記したステップＳ１０の装填処理を継続すべく、新たに紙幣の詰まった補充カセット２０が係員により入出金機７０に装着される。
【００５３】
一方、紙幣の装填・補充処理が完了したとき、制御部６０は補充貨幣収納部２１のステージ下面の紙幣を補充用紙幣として利用すべく、図示しない回収紙幣補充転用機構により、ステージ下面の紙幣を該ステージ上面に移動させると共に、図５に示す補充貨幣情報の相対アドレス９６〜１１６に示されている内容を、対応する相対アドレス７２〜相対アドレス９２に転記し、一時収納部３１ａ、３１ｂおよび３１ｃのカウンタをクリアする。その後、制御部６０はＡＴＭ１０を待機状態に遷移させる。
【００５４】
ＡＴＭ１０が待機状態にあるとき、制御部６０は、設定情報記憶部４３の設定情報に基づいて、図１０に示されているように、ＡＴＭ１０の利用者に出金可能な券種を知らせるべく、ディスプレイ７５の表示内容の制御を行う。更に、制御部６０は、図１１の（ｂ）〜図１１（ｅ）に示されているように、各ＡＴＭに設けられている各取引表示装置８１ａ〜８１ｃに出金可能な券種を表示すべく、その制御を行う。
新券の出金が可能である取引表示装置８１ａの表示内容例が図１１（ｂ）に示されており、旧券が出金される恐れがある取引表示装置８１ｂの表示内容例が図１１（ｃ）に示されている。また、新券の出金あるいは旧券が出金される恐れがあるＡＴＭを点灯や点滅などの方法で利用者に知らせるべく、取引表示装置の表示内容例が図１１（ｄ）および図１１（ｅ）に示されている。
【００５５】
また、制御部６０は、通信部１４を介して、出金可能な全ての券種が新券であるか否かを案内板８２と監視装置８０に通知する。この通知に基づいて、案内板８２は、図１１（ａ）に示すように、各ＡＴＭが取扱う券種などの総合的な案内を行う。また、監視装置８０は、必要に応じて予め定められた監視担当者や警備会社への通知を行う。
待機状態のＡＴＭにおいて、制御部６０は、タッチパネル７４を介して取得する利用者からの取引要求や、補充カセット２０の脱着の有無、入出金機７０のスタッカ３２のエンド、フル状態を監視する。
【００５６】
制御部６０は、補充カセット２０からの脱着の指示を確認すると、補充カセット２０に収容している紙幣が各スタッカ３２ａ、３２ｂおよび３２ｃに装填・補充可能な数量有しているか否かを判定するため、該補充カセット２０内に収容している紙幣の数量を券種毎に確定する。この処理に先立ち、制御部６０はディスプレイ７５や取引表示装置８１に取引休止を表示させる制御を行う（ステップＳ１３）。
【００５７】
補充カセット２０に収容している紙幣の数量を券種毎に確定する処理において、入出金機７０内の紙幣の搬送経路を図１２に示し、該図に沿って確定処理の説明を行う。
確定処理に先立ち、係員は補充カセット２０の補充貨幣収納部２１のステージ上面にのみ紙幣をセットする。つまり補充貨幣収納部２１のステージ上面にのみ処理対象の紙幣が有り、ステージの下や回収貨幣収納部２２には紙幣が無い補充カセット２０を入出金機７０に装着する。
【００５８】
制御部６０は、補充カセット２０の補充貨幣収納部２１に設けられたステージを上方に移動させ、補充貨幣収納部２１の上部からステージ上面に集積している紙幣を順次搬送路へ送出する。送出された紙幣は、搬送路を介して鑑別部１２へ送られると、鑑別部１２で鑑別される。制御部６０は、設定情報記憶部４３の相対アドレス２００〜相対アドレス２１１を参照し、鑑別結果が各スタッカに収容する紙幣と同一額面の紙幣、つまり新旧一万円券および新旧千円券のとき、当該紙幣を回収貨幣収納部２２へ搬送して回収貨幣収納部２２がフルになるまで逐次集積すると共に、回収貨幣収納部２２の紙幣を券種毎にカウントする。
【００５９】
また、鑑別部１２での鑑別結果で汚損が酷い紙幣や、真贋に問題がある紙幣や、２千円券および５千円券などの出金対象外の紙幣は、補充リジェクト部２３がフルになるまで搬送され収容される。
補充カセット２０の回収貨幣収納部２２がフルになったとき、制御部６０は、補充貨幣収納部２１からの紙幣送出を停止し、回収貨幣収納部２２に収容する紙幣を上部の補充貨幣収納部２１へ押し上げるべく、図示しない押し上げ機構を駆動させると共に、回収貨幣収納部２２に収容していた紙幣の券種毎のカウント値を図５に示す補充貨幣情報の相対アドレス９６〜１１６に対応させて加算し、回収貨幣収納部２２のカウンタをクリアする。
【００６０】
補充カセット２０の補充貨幣収納部２１のステージ上面の紙幣が全て無くなったとき、制御部６０は所定の収納部に紙幣が収容されていることを確認し、搬送動作を停止する。更に、制御部６０は回収貨幣収納部２２に収容する紙幣のカウント値を図５に示す補充貨幣情報の相対アドレス９６〜１１６に対応させて加算し、回収貨幣収納部２２のカウンタをクリアする。      
【００６１】
その後、制御部６０は、回収貨幣収納部２２から補充貨幣収納部２１のステージ下に押し上げられた紙幣を補充用紙幣として利用すべく、図示しない回収紙幣補充転用機構により、ステージ下面の紙幣を該ステージ上面に移動させると共に、図５に示す補充貨幣情報の相対アドレス９６〜１１６に示されている内容を、対応する補充貨幣情報の相対アドレス７２〜相対アドレス９２に転記し、補充貨幣情報の相対アドレス９６〜１１６の内容をクリアする。以上で確定処理が終了する（ステップＳ１４）。
その後、制御部６０は、ディスプレイ７５や取引表示装置８１に取引項目を表示させる制御を行い、ＡＴＭ１０を待機状態に遷移させる（ステップＳ１５）。
【００６２】
次に、利用者からの出金要求を処理するＡＴＭ１０の動作を説明する。
ＡＴＭ１０が待機中に、タッチパネル７４を介して利用者からの出金選択指示を受けた制御部６０は、利用者に通帳を記帳機７１に挿入させたり、利用者のキャッシュカードをカードリーダ７２に挿入させる案内を行うべく、ディスプレイ７５や図示しないスピーカーなどの制御を行う。
通帳やキャッシュカードの挿入を検知した制御部６０は、利用者に暗証番号や出金金額など出金に必要な情報の入力を促がすべく、ディスプレイ７５や図示しないスピーカーの制御を行う（ステップＳ１６）。
制御部６０は、入力された情報に基づいて、出金貨幣情報記憶部４１の出金貨幣情報を参照し、出金に必要な紙幣が入出金機７０のスタッカに収容されているか否かを確認すると共に、図示しないＨＯＳＴ処理装置に対し、当該取引の実行可否を問い合わせるべく、通信部１４の制御を行う（ステップＳ１７）。
【００６３】
制御部６０は、ＨＯＳＴ処理装置から出金取引きの許可を受けると、出金貨幣情報記憶部４１の出金情報を参照し、各スタッカ３２ａ、３２ｂおよび３２ｃから、それぞれ何枚の紙幣を出金用紙幣として搬送すべきか出金数量を求める演算を行う。
先ず制御部６０は、演算結果に基づいて、スタッカ３２ａからの出金を行うか否かを確認する。スタッカ３２ａからの出金を行うとき、制御部６０は、一時収納部３１ａとスタッカ３２ａとの間にある可動仕切り板を退避させ、スタッカ３２ａの図示しないステージを上部に押上げて、該ステージ上面に集積してある紙幣を、一時収納部３１ａを経て搬送路に送出する制御を行う。
【００６４】
搬送路へ送出された紙幣は、図１３に示されているように、鑑別部１２へ送られると、鑑別部１２で鑑別される。制御部６０は、設定情報記憶部４３の相対アドレス２００を参照し、鑑別結果が新一万円券であるとき、受渡部１１の入出金貨幣集積部１１１に集積させる制御を行い、入出金貨幣集積部１１１に集積する紙幣を券種毎にカウントする。また、鑑別部１２での鑑別結果で汚損が酷い紙幣や、真贋に問題がある紙幣などは、リジェクトカセット５０のリジェクト部５２へ搬送し集積すると共に、該リジェクト部５２で集積する紙幣をカウントする。そして、制御部は、リジェクトした紙幣に代わる紙幣をスタッカ３２ａから搬送路に送出し、鑑別部１２を介して入出金貨幣集積部１１１に集積させる制御を行う。
【００６５】
制御部６０は、スタッカ３２ａから前記出金数量の紙幣を入出金貨幣集積部１１１へ送出すると、紙幣の搬送を停止する。制御部６０は、入出金貨幣集積部１１１で集積した紙幣のカウント値と、リジェクト部５２で集積した紙幣のカウント値との和を求め、その値をスタッカ３２ａから出金した紙幣の総枚数とみなし、出金貨幣情報記憶部４１の出金貨幣情報の相対アドレス１２に示された値から総枚数の値を減算した後、入出金貨幣集積部１１１のカウンタをクリアする。
【００６６】
一方、前記出金数量の前記出金用紙幣を入出金貨幣集積部１１１に集積する前に、スタッカ３２ａに収容する紙幣が全て無くなったとき、制御部６０は紙幣の送出を停止すると共に、出金貨幣情報の相対アドレス１２およびリジェクト部５２のカウンタ値をクリアする。その後、制御部６０は、出金すべき紙幣の数量から入出金貨幣集積部１１１に集積した紙幣のカウント値を減算し、不足している出金用紙幣の数量を求める。
不足数量を求めた制御部６０は、設定情報記憶部４３の設定情報の相対アドレス２００に示されている同一額面で同一種類の紙幣を収容しているスタッカを特定する。この処理でスタッカ３２ｂを特定した制御部６０は、スタッカ３２ｂと一時収納部３１ｂとの間にある可動仕切り板を退避させ、スタッカ３２ｂの図示しないステージを上部に押上げて、該ステージ上面に集積してある紙幣を、一枚づつ一時収納部３１ｂを経て搬送路に送出する制御を行う。
【００６７】
搬送路へ送出された紙幣は、鑑別部１２へ送られて鑑別される。制御部６０は、設定情報記憶部４３の相対アドレス２００を参照し、鑑別結果が新一万円券であるとき、受渡部１１の入出金貨幣集積部１１１に集積させる制御を行い、入出金貨幣集積部１１１のカウンタをアップする。また、鑑別部１２での鑑別結果で汚損が酷い紙幣や、真贋に問題がある紙幣などは、リジェクトカセット５０のリジェクト部５２へ搬送し集積すると共に、該リジェクト部５２で集積する紙幣をカウントする。そして、制御部６０は、リジェクトした紙幣に代わる紙幣をスタッカ３２ｂから搬送路に送出し、鑑別部１２を介して入出金貨幣集積部１１１に集積させる制御を行う。
【００６８】
このようにして、不足分の紙幣がスタッカから入出金貨幣集積部１１１に搬送されて、該入出金貨幣集積部１１１で集積されると、制御部６０は、スタッカから紙幣の送出を停止し、入出金貨幣集積部１１１に集積する紙幣を券種毎にカウントしている値とリジェクト部５２のカウンタ値との和を求め、その値をスタッカ３２ｂから出金した紙幣の総枚数とみなし、出金貨幣情報記憶部４１の出金貨幣情報の相対アドレス３６に示された値から総枚数の値を減算した後、入出金貨幣集積部１１１のカウンタをクリアする。
【００６９】
一方、不足分の紙幣を入出金貨幣集積部１１１に集積しているとき、スタッカ３２ｂに収容する紙幣がリジェクトなどで全て無くなったとき、制御部６０は、カセットに出金すべき券種の紙幣が収容されていないと判断し、紙幣の送出を停止すると共に、出金取引きが不成立になったことをディスプレイ７５に表示するための制御を行うと共に、挿入されたキャッシュカードや通帳を利用者に返却する制御を行う（ステップＳ２１）。このとき、取引表示装置には、出金処理を除いた取り扱い項目が表示される。
更に、制御部６０は、出金貨幣情報の相対アドレス３６およびリジェクト部５２のカウンタ値をクリアすると共に、入出金貨幣集積部１１１に集積した紙幣を、後述する入金処理と同様にスタッカ３２ａへ収容し、その内容をカウンタ並びに出金貨幣情報に反映させる（ステップＳ２２）。その後、ＡＴＭ１０は、待機状態に遷移する。
【００７０】
制御部６０は、前記出金数量分の新一万円券を入出金貨幣集積部１１１で集積させた後、次の券種の紙幣（新千円券）の出金を入出金貨幣集積部１１１へ集積させる必要があるか否かを確認する。
この確認で新千円券を出金する必要があるとき、前記した新一万円券を入出金貨幣集積部１１１へ集積させた処理と同様に、制御部６０は、出金数量分の新千円券をスタッカ３２ｃから入出金貨幣集積部１１１へ搬送し、搬送した新千円券を該入出金貨幣集積部１１１で集積させる制御を行う。このとき、制御部６０は、処理対象の新千円札に対応する出金貨幣情報の相対アドレス５６の内容も変更する。
【００７１】
利用者が要求した出金額の紙幣が全て入出金貨幣集積部１１１に収容されると、制御部６０は、挿入されているキャッシュカード並びに通帳を利用者に返却する旨をディスプレイ７５に表示するための制御を行い、利用者が挿入した通帳やレシートに取引き履歴を印字すべく、記帳機７１やカードリーダなどの制御を行う。取引き履歴が印字された通帳は、記帳機７１の入排出口から排出され、印字が施されたレシートはカードリーダの入排出口からキャッシュカードと共に排出される。
その後、制御部６０は、入出金貨幣集積部１１１に集積している出金用紙幣を利用者に受け取らせるべく、その案内表示をディスプレイ７５に表示させる制御を行うと共に、受渡部１１の図示しないシャッターの開口制御を行う。制御部６０は、利用者が受渡部１１の入出金貨幣集積部１１１から出金用紙幣を抜き取った後、前記シャッターの閉口制御を行う（ステップＳ１９）。
【００７２】
ところで、制御部６０は処理中にフル状態を検出したとき、記憶部４０の図示しないフラグ記憶部に、フル状態を検出したことを示すフルフラグや、エンド状態を検出したことを示すエンドフラグをセットしており、利用者が受渡部１１の入出金貨幣集積部１１１から出金用紙幣を抜き取った後、制御部６０は、フラグ記憶部を参照して前記フルフラグがセットされているか否かを判定する。フルフラグがセットされているとき、制御部６０は、出金貨幣情報記憶部４１の出金貨幣情報を参照し、各スタッカ３２ａ、３２ｂおよび３２ｃがフル状態を回避できるか否かを判定する。
フルフラグが回避できると判断したとき、フルフラグをリセットし、その後ディスプレイ７５や取引表示装置８１に取引項目を表示させる制御を行い、ＡＴＭ１０を待機状態に遷移させる。
【００７３】
一方、回避できないと判断した制御部６０は、出金処理を除く取り扱い項目をディスプレイ７５や取引表示装置８１に表示させる制御を行い、ＡＴＭ１０を待機状態に遷移させる（ステップＳ２０）。
またエンドフラグがフラグ記憶部にセットされているとき、制御部６０は、出金取引以外の項目をディスプレイ７５や取引表示装置８１に表示させる制御を行い、ＡＴＭ１０を待機状態に遷移させる。
【００７４】
ＡＴＭ１０がアイドル状態にあるとき、エンドフラグのセットを検知した制御部６０は、補充貨幣情報記憶部４２の補充回収情報の相対アドレス７２〜相対アドレス１４０を参照し、紙幣エンドの券種が補充カセット２０内にあり、該紙幣を補充可能な券種であると判断したとき、つまり例えば新千円券を収容するスタッカ３２ｃがエンド状態であり、補充カセット２０に旧千円券があるとき、装填・補充処理に先立ち、制御部６０はディスプレイ７５や取引表示装置８１に取引休止を表示させる制御を行う（ステップＳ２３）。
【００７５】
その後、制御部６０は、前記した補充・充填処理を行う（ステップＳ２４）。このとき、制御部６０は補充処理を監視する係員が存在しない前提で処理を行う。従って、制御部６０は、補充処理によりエンド状態が解消されているとき、エンドフラグをリセットすると共に、ディスプレイ７５や取引表示装置８１に全ての取引項目を表示させる制御を行い、ＡＴＭ１０を待機状態に遷移させる。一方、制御部６０は、補充処理を行っても、エンド状態が解消されないとき、エンドフラグのリセットすることなく、ディスプレイ７５や取引表示装置８１に出金取引を除く取引項目を表示させる制御を行い、ＡＴＭ１０を待機状態に遷移させる（ステップＳ２５）。
【００７６】
ＡＴＭ１０がアイドル状態にあるとき、利用者からの入金指示をタッチパネル７４を介して取得した制御部は、利用者に通帳を記帳機７１に挿入させたり、または利用者のキャッシュカードをカードリーダ７２に挿入させる案内を行うべく、ディスプレイ７５や図示しないスピーカーなどの制御を行う。
通帳やキャッシュカードの挿入を検知した制御部６０は、利用者に暗証番号や出金金額など出金に必要な情報の入力を促がすべく、ディスプレイ７５や図示しないスピーカーの制御を行う（ステップＳ２６）。その後、制御部６０は、受渡部１１の図示しないシャッターを開口制御し、利用者に入出金貨幣集積部１１１へ紙幣を投入させるべく、ディスプレイ７５や図示しないスピーカーなどの制御を行う。制御部６０は、この入金案内に従って利用者が入金すべき紙幣を入出金貨幣集積部１１１に投入し終えるまで待機する（ステップＳ２７）。
【００７７】
その後、制御部６０は、シャッターの閉口制御を行う。シャッターの閉口後、制御部６０は、投入された紙幣を計数処理処理中である旨をディスプレイ７５に表示させる制御を行い、かつ図示しない可動型の仕切り板で一時収納部３１とスタッカ３２との間を仕切る制御を行う。
制御部６０は、図１４に示すように、入出金貨幣集積部１１１に投入された紙幣を鑑別部１２で鑑別すべく、入出金貨幣集積部１１１に収容している紙幣を一枚ずつ搬送路へ送出するために図示しない送り出し機構の制御を行う。
【００７８】
制御部６０は、鑑別部１２での鑑別結果が新一万円券であるとき、設定情報記憶部の相対アドレス２００〜相対アドレス２０８を参照し、新一万円を収容するスタッカ３２ａがフル状態にあるか否かを調べ、フル状態にないと判明したスタッカ３２ａの上部にある一時収納部３１ａに鑑別した紙幣を収容すべく、搬送路を制御してその枚数をカウントする。一方、鑑別結果が新千円券であるとき、制御部６０は、設定情報記憶部の相対アドレス２００〜相対アドレス２０８を参照し、新千円を収容するスタッカ３２ｃがフル状態にあるか否かを調べ、フル状態にないと判明したスタッカ３２ｃの上部にある一時収納部３１ｃに鑑別した紙幣を収容すべく、搬送路を制御してその枚数をカウントする。
【００７９】
制御部６０は、鑑別部１２で鑑別した紙幣が設定情報記憶部の相対アドレス２００〜相対アドレス２０８に示されていない券種とき、すなわち鑑別結果が旧一万円券、旧千円券、新旧５千円券および新旧２千円券であるとき、その紙幣を一時収納部３１ｂに収容すべく、搬送路を制御してその枚数をカウントする。
また、制御部６０は、汚損や真贋などの問題で鑑別部１２で鑑別不能と判断された紙幣を入金貨幣リジェクト部１１２へ搬送すべく、搬送路の制御を行い、リジェクト発生フラグをセットして、入金計数処理を終了する（ステップＳ２８）。
【００８０】
制御部６０は、鑑定結果に応じて各紙幣の搬送制御を行った後、リジェクト発生フラグがセットされているとき、投入された紙幣を利用者に返却すべく、シャッターの開口制御と、入金された紙幣を利用者に返却するための表示案内と音声案内の制御を行う。更に、制御部６０は、シャッターが開口された入金貨幣リジェクト部１１２から紙幣が抜き取られることを確認した後、リジェクトにより返却された紙幣に代わる新たな紙幣を追加投入するか否かを問うための表示案内および音声案内の制御を行う（ステップＳ３３）。
ステップＳ３３にて、紙幣の追加投入が行われると、制御部６０は前記した入金計数処理の制御を行う。
その後、制御部６０は、入金処理を継続もしくは中止を利用者に問うべく、ディスプレイ７５の表示制御を行う（ステップＳ２９）。
【００８１】
利用者がタッチパネル７４を介して、入金処理の継続を指示すると、制御部６０は、利用者が投入した紙幣を収納中であることをディスプレイ７５に表示する制御を行う。その後、制御部６０は、図１５に示すように、可動型の仕切り板退避の制御を行い、一時収納部３１ａに収容している紙幣をスタッカ３２ａに収容し、一時収納部３１ｂに収容している紙幣をスタッカ３２ｃに収容すると共に、各一時収納部３１ａおよび３１ｃで保持する紙幣の各カウント値を、相対アドレス０〜相対アドレス６８に対応する出金貨幣情報に加算する。そして、制御部６０は加算した出金貨幣情報を参照し、各スタッカがフル状態にあるか否かを判定し、フル状態にあるスタッカに対応するフルフラグをセットする。
【００８２】
制御部６０は、可動型の仕切り板退避の制御を行うとき、一時収納部３１で収容する券種と、該一時収納部３１の下部のスタッカ３２で収容する券種とが同じ券種であるか否かを調べ、券種が異なると判断したとき、すなわち旧一万円券、旧千円券、新旧５千円券および新旧２千円券が一時収納部３１ｂに収容され、新一万円券がスタッカ３２ｂには収納されているとき、一時収納部３１ｂとスタッカ３２ｂとの間にある可動型の仕切り板を退避させることなく、図１５に示すように、一時収納部３１ｂに収容している紙幣を、一枚ずつ図示しない送り出し機構で搬送路に送出する制御を行う。
【００８３】
搬送された紙幣は、鑑別部１２で鑑別される。この鑑別で設定情報の相対アドレス２００〜相対アドレス２０８に示される同一金額で種類が異なる紙幣、つまり旧一万円券および旧千円券を回収貨幣収納部２２で収容させるべく、制御部６０は搬送路の制御を行うと共に、回収貨幣収納部２２に収容する紙幣を券種毎にカウントし、そのカウント値を補充貨幣情報として相対アドレス９６〜相対アドレス１１６に保持させる。一方、鑑別部１２で紙幣を鑑別した結果が設定情報の相対アドレス２００〜相対アドレス２０８に示される金額以外のとき、つまり鑑別結果が新旧の５千円券および新旧の２千円券をリジェクト部５２へリジェクトさせるべく、制御部６０は搬送路の制御を行う。リジェクト部５２へ搬送された紙幣は、リジェクト部５２で集積される。
【００８４】
各一時収納部３１に収容している全ての紙幣が、スタッカ３２ａおよび３２ｂ、回収貨幣収納部２２およびリジェクト部５２の何れかに収容されると、制御部６０は、通帳またはキャッシュカードから得る利用者の口座番号と共に入金された金額をＨＯＳＴ処理装置へ通知すべく、通信部１４の制御を行う（ステップＳ３０）。
【００８５】
ステップＳ２９において、利用者が入金処理の中止を指示したとき、制御部６０は、一時収納部３１ａ、３１ｂおよび３１ｃで収容している紙幣を利用者に返却処理中であることをディスプレイ７５に表示する制御を行うと共に、一時収納部３１ａ、３１ｂおよび３１ｃで収容している紙幣を一枚ずつ搬送路に送り出し、入出金貨幣集積部１１１に集積させるべく、搬送路の制御を行う。
【００８６】
一時収納部３１ａ、３１ｂおよび３１ｃで収容している全ての紙幣が入出金貨幣集積部１１１に集積後、制御部６０は、図示しないシャッターを開口する制御を行うと共に、利用者に入出金貨幣集積部１１１から紙幣を取りさせるための表示案内と音声案内の制御を行う。この案内に従って利用者が入出金貨幣集積部１１１から全ての紙幣を抜取った後、制御部６０は図示しないシャッターの閉口制御を行う（ステップＳ３４）。
【００８７】
前記したステップＳ３０の処理において、通信部１４の制御を行った制御部６０は、記帳機７１に通帳が挿入されているときは、該通帳に取引内容を印字する制御を行い、カードリーダ７２にキャッシュカードが挿入されているときは、レシートに取引内容を印字する制御を行った後、記帳機７１から通帳を、カードリーダ７２からキャッシュカードを利用者に排出返却する制御を行うと共に、返却される通帳やキャッシュカードなどの媒体を利用者に引き取らせるべく、表示案内と音声案内の制御を行う（ステップＳ３１）。
【００８８】
その後、制御部６０は、補充貨幣情報の相対アドレス１２０〜相対アドレス１４０に基づいて、回収貨幣収納部２２に収容する紙幣の枚数を算出し、該回収貨幣収納部２２に所定の基準（一入金取引における最大入金枚数）以上の収容可能スペースが無くなったとき、回収貨幣収納部２２の図示しないステージを上部の補充貨幣収納部２１へ押し上げて、該ステージ上の紙幣を補充貨幣収納部２１のステージ下の紙幣に加えると共に、加えた紙幣の券種毎の数量を相対アドレス９６〜相対アドレス１１６の補充貨幣情報に加算し、相対アドレス１２０〜相対アドレス１４０の補充貨幣情報の値をクリアする制御を行う。
【００８９】
この入金処理により、前記したエンド状態が回避可能であると判断した制御部６０は、エンドフラグをリセットし、出金処理を含む全ての取り扱いが可能であることをディスプレイ７５や取引表示装置に表示させる制御を行い、ＡＴＭ１０を待機状態に遷移させる（ステップＳ３２）。
【００９０】
ＡＴＭ１０が待機状態にあるとき、スタッカ３２ａ、３２ｂおよび３２ｃの何れかでフルフラグのセットを検知した制御部６０は、スタッカのフル状態を回避すべく、補充貨幣情報記憶部４２の補充回収情報の相対アドレス７２〜相対アドレス１４０を参照し、補充カセット２０にスタッカの紙幣を収容するスペースがあるか否かを判断する。スタッカ３２に収容されている紙幣を補充カセット２０で回収可能と判断した制御部６０は、ディスプレイ７５や取引表示装置８１に取引休止を表示させる制御を行う（ステップＳ３５）。
【００９１】
その後、制御部６０は、相対アドレス０〜相対アドレス２０の出金貨幣情報を参照し、スタッカ３２ａがフル状態にあるか否かを判断する。スタッカ３２ａがフル状態にあるとき、制御部６０は、一時収納部３１ａおよびスタッカ３２ａ間にある図示しない可動仕切り板を退避させ、一時収納部３１ａの図示しないステージを上部に押上げて、該ステージ上の紙幣を一枚ずつ順に搬送路に送出する制御を行う。送出された紙幣は、図１６に示すように、鑑別部１２で鑑別され、鑑別結果が相対アドレス２００の設定情報に設定されている新一万円券と同じであれば、その紙幣を回収貨幣収納部２２へ搬送すべく搬送路を制御する。搬送された紙幣は回収貨幣収納部２２で集積されると共に、集積する紙幣の券種毎にその枚数をカウントする。
【００９２】
一方制御部６０は、鑑別部１２で鑑別不能や汚損が酷いと鑑別された紙幣をリジェクト部５２へ搬送すべく、搬送路の制御を行うと共に、リジェクト部５２で集積する紙幣をカウントする。
制御部６０は、回収貨幣収納部２２でのカウント値と、リジェクト部５２でのカウント値とを合算した値で、スタッカ３２ａのフル状態を回避できると判断すると、スタッカ３２ａから紙幣を送出する処理を停止する。制御部６０は、合算した値をスタッカ３２ａから送出した数量とみなし、相対アドレス１２の出金貨幣情報の値を減算すると共に、回収貨幣収納部２２に集積した紙幣の数量を相対アドレス１２０〜相対アドレス１４０の補充貨幣情報に反映させるべく加算し、リジェクト部５２のカウンタをクリアする。
【００９３】
また、制御部６０は、相対アドレス１２０〜相対アドレス１４０の補充貨幣情報を参照し、回収貨幣収納部２２に所定の基準（一入金取引における最大入金枚数）以上の収容可能スペースが無くなったとき、回収貨幣収納部２２の図示しないステージを上部の補充貨幣収納部２１へ押し上げて、該ステージ上の紙幣を補充貨幣収納部２１のステージ下の紙幣に加えると共に、加えた紙幣の券種毎の数量を相対アドレス９６〜相対アドレス１１６の補充貨幣情報に加算し、相対アドレス１２０〜相対アドレス１４０の補充貨幣情報の値をクリアする制御を行う。
【００９４】
制御部６０は、スタッカ３２ａについて述べた処理を、スタッカ３２ｂおよびスタッカ３２ｃについても同様に行い、各スタッカ３２ａ、３２ｂおよび３２ｃがフル状態を回避するとフルフラグをリセットし、回収処理を終了する（ステップＳ３６）。
その後、制御部６０は、ディスプレイ７５や取引表示装置８１に全ての取引項目を表示させる制御を行い、ＡＴＭ１０を待機状態に遷移させる（ステップＳ３７）。
【００９５】
ところで、前記した出金処理で受渡部１１に出金される紙幣や、入金処理中に利用者がキャンセル指示して受渡部１１に返却された紙幣を利用者が取り忘れたとき、つまり所定時間内に受渡部１１から紙幣が抜取られなかったとき、制御部６０は、図１７に示すように、受渡部１１の入出金貨幣集積部１１１の紙幣を一枚ずつ順次搬送路へ送り出す制御を行う。送出された紙幣は、鑑別部１２で鑑別されるが、鑑別結果に関ることなく取込部５１へ搬送され集積される。また前記した処理において、利用者が挿入した通帳やキャッシュカードは、図示しない各取込部に取り込まれ収容される。
【００９６】
ＡＴＭ１０が待機状態にあるとき、スタッカ３２ａ、３２ｂおよび３２ｃの何れかでエンドフラグのセットを検知した制御部６０は、相対アドレス７２〜相対アドレス１４０の補充貨幣情報を参照し、紙幣エンドの同一券種が補充カセット２０内に無いと判断すると、紙幣エンドの同一金額で種類の異なる紙幣が補充カセット２０内に存在するか否かを調べるため、相対アドレス７２〜相対アドレス１４０の補充貨幣情報を再度参照する。この参照で補充可能な紙幣、つまり同一金額で種類の異なる紙幣が補充カセット２０内に有ると判断した制御部６０は、ディスプレイ７５や取引表示装置８１に取引休止を表示させる制御を行う（ステップＳ３８）。
【００９７】
次に制御部６０は、補充貨幣収納部２１の図示しないステージ下の紙幣および回収貨幣収納部２２の紙幣を補充貨幣収納部２１のステージ上面に補充用紙幣として集積すべく補充紙幣転用処理を行う。この補充紙幣転用処理は、ステップＳ１４における補充カセット２０内の紙幣を券種毎にその数量を確定する処理と同様であり、制御部６０は、回収貨幣収納部２２の紙幣を補充貨幣収納部２１のステージ下に押上げ、ステージ下の紙幣をステージ上に転用した後、補充貨幣収納部２１のステージ上の紙幣を図１８に示すように、一枚ずつ順次搬送路に送出する制御を行う。
【００９８】
送出された紙幣は、鑑別部１２で鑑別されると、制御部６０は、鑑別結果が相対アドレス２００〜相対アドレス２０８の設定情報に示される同一金額の紙幣、すなわち新旧の一万円券および新旧の千円券を回収貨幣収納部２２へ搬送し、該回収貨幣収納部２２に集積して、該回収貨幣収納部２２で集積する紙幣をカウントする制御を行う。一方、制御部６０は、前記した券種以外の紙幣、すなわち汚損が酷く鑑別不可能な紙幣や、新旧の２千円券、新旧の５千円券などを補充リジェクト部２３へ搬送し、該補充リジェクト部２３に集積して、該補充リジェクト部２３で集積する紙幣をカウントする制御を行う。
【００９９】
前記した処理において、回収貨幣収納部２２がフル状態になると、制御部６０は、補充貨幣収納部２１から紙幣を送出する動作を停止し、回収貨幣収納部２２の紙幣を補充貨幣収納部２１のステージ下面に押上げ、該ステージ下面の紙幣をステージ上面に転用する制御を行うと共に、回収貨幣収納部２２に集積していた紙幣の券種毎の数量を相対アドレス９６〜相対アドレス１１６の補充貨幣情報に加算して、回収貨幣収納部２２のカウンタをクリアする制御を行う。
【０１００】
補充カセット２０の補充貨幣収納部２１のステージ上面の紙幣が全て無くなったとき、制御部６０は各スタッカ３２ａ、３２ｂおよび３２ｃの設定券種に対応した紙幣が、所定のスタッカに収容されていることを確認し、搬送動作を停止する。その後、制御部６０は、回収貨幣収納部２２の紙幣を補充貨幣収納部２１のステージ下に押上げ、回収貨幣収納部２２のカウンタを相対アドレス９６〜相対アドレス１１６の補充貨幣情報に加算し、回収貨幣収納部２２のカウンタをクリアする制御を行う。
【０１０１】
更に、制御部６０は、補充貨幣収納部２１のステージ下の紙幣をステージ上面に転用した後、相対アドレス９６〜相対アドレス１１６の補充貨幣情報を相対アドレス７６〜相対アドレス９２の補充貨幣情報に転記し、補充貨幣収納部２１のステージ下の紙幣をカウントするカウンタをクリア制御する。
以上の処理を行うことにより、補充カセット２０内の補充用紙幣は、全て補充貨幣収納部２１に収容される（ステップＳ３９）。
【０１０２】
次に、制御部６０は、エンド状態のスタッカに残存する紙幣を全て回収する処理を行うべく、相対アドレス０〜相対アドレス６８の出金貨幣情報を参照してエンド状態にある券種を特定し、該券種の紙幣を収容するスタッカを特定する。例えば、スタッカ３２ａ、３２ｂおよび３２ｃが全てエンド状態にあるとき、制御部６０は、一時収納部３１ａおよびスタッカ３２ａ間にある図示しない可動仕切り板を退避させ、一時収納部３１ａの図示しないステージを上部に押上げて、該ステージ上の紙幣を一枚ずつ順に搬送路に送出する制御を行う。
【０１０３】
送出された紙幣は、図１９に示すように、鑑別部１２で鑑別され、鑑別結果が相対アドレス２００の設定情報に設定されている新一万円券と同じであれば、その紙幣を回収貨幣収納部２２へ搬送すべく搬送路を制御する。搬送された紙幣は回収貨幣収納部２２で集積されると共に、集積する紙幣の券種毎にその枚数をカウントする。
【０１０４】
一方制御部６０は、鑑別部１２で鑑別不能や汚損が酷いと鑑別された紙幣をリジェクト部５２へ搬送すべく、搬送路の制御を行うと共に、リジェクト部５２で集積する紙幣をカウントする。
制御部６０は、前記した処理をスタッカ３２ｂおよびスタッカ３２ｃについても順次行う。
【０１０５】
前記した回収処理において、回収貨幣収納部２２がフル状態になると、制御部６０は、スタッカから紙幣を回収する動作を停止し、回収貨幣収納部２２の紙幣を補充貨幣収納部２１のステージ下面に押上げ、該ステージ下面の紙幣をステージ上面に転用する制御を行うと共に、回収貨幣収納部２２に集積していた紙幣の券種毎の数量を相対アドレス９６〜相対アドレス１１６の補充貨幣情報に加算して、回収貨幣収納部２２のカウンタをクリアする制御を行う。
【０１０６】
スタッカ３２ａの図示しないステージ上面の紙幣が全て無くなったとき、制御部６０は、スタッカから紙幣を送出する制御を停止する。その後、制御部６０は、相対アドレス０〜相対アドレス２０の出金貨幣情報をクリアすると共に、回収した回収貨幣収納部２２の紙幣を補充貨幣収納部２１のステージ下に押上げ、該ステージ下の紙幣をステージ上面に転用する制御を行うと共に、回収貨幣収納部２２に集積していた紙幣の券種毎の数量を相対アドレス９６〜相対アドレス１１６の補充貨幣情報に加算して、回収貨幣収納部２２のカウンタをクリアする制御を行う。
制御部６０は、前記した回収処理をスタッカ３２ｂおよびスタッカ３２ｃについても同様に行い、各スタッカ３２ｂおよび３２ｃに収容している紙幣を補充カセット２０に回収する（ステップＳ４０）。
【０１０７】
その後、制御部６０は、紙幣を回収したスタッカに設定されている同一金額で種類の異なる券種を設定すべく、相対アドレス２００〜相対アドレス２０８の設定情報の内容を変更する。すなわち制御部６０は、スタッカ３２ａに旧一万円券、スタッカ３２ｂに旧一万円券、スタッカ３２ｃに旧千円券を収容すべく、相対アドレス２００〜相対アドレス２０８の設定情報の内容変更を行う。
【０１０８】
設定情報の変更を終えた制御部６０は、各スタッカ３２ａ、３２ｂおよび３２ｃのそれぞれに対応する紙幣を補充カセット２０から補充する制御を行う（ステップＳ４１）。
この補充処理は前記した補充・充填処理と同様であり、各スタッカに収容する紙幣が新一万円券から旧一万円券に、新千円券から旧千円券に代わり、新たに設定した設定情報の内容に応じて出金貨幣情報および補充貨幣情報の相対アドレスが替わる以外は同じであることから、その説明を割愛する。
【０１０９】
新たに、設定した券種に応じて各スタッカに紙幣を補充した制御部６０は、新旧券種の表示の可否を示す相対アドレス２２４の設定情報を参照し、表示の設定がされているとき、図２０に示すように、旧一万円券および旧千円券を出金する旨をディスプレイ７５に表示させる制御を行う。また、制御部６０は、図１１の（ｃ）に示すように、ＡＴＭ１０の上部に設けた取引表示装置８１に旧券を出金する旨を表示させる制御を行う。
【０１１０】
更に、制御部６０は、出金用紙幣が新券から旧券に切替わったことを案内板８２や監視装置８０に通知すべく通信部１４の制御を行い、その後、待機状態に遷移する（ステップＳ４２）。
ＡＴＭ１０から通知を受けた監視装置８０は、新券から旧券に出金用紙幣が切替わったことを画面表示や音声案内で管理者に知らせることから、管理者は新券をＡＴＭ１０に補充する係員を適切なタイミングで派遣することができる。
【０１１１】
前記したように、本発明のＡＴＭ１０によれば、制御部６０が同一額面で種類の異なる紙幣を混在させることなくスタッカに収容する制御を行うことから、新券を優先的に出金することができ、金融機関として旧券から新券に切替える責務を果たすことができる。
更に、本発明のＡＴＭ１０によれば、出金処理で新券が不足すると、旧券に切替えて出金を行うことから、出金紙幣の不足で生じる出金取り扱い中止の頻度を低減することができ、券種を気にすることなく、とにかく出金したい利用者に対してサービスの低下を防ぐことができる。
【０１１２】
更に、本発明によれば、各ＡＴＭ１０から案内板８２へ出金用紙幣の券種を通知することにより、案内板８２は通知された情報に基づいて、各ＡＴＭ１０の出金用紙幣の券種を統括的に案内表示することができる。これにより、案内板８２の案内表示に基づいて、利用者は各ＡＴＭ１０から出金される券種を把握することができる。
また、本発明によれば、ＡＴＭ１０が旧券から新券に出金用紙幣の券種を切替えたことを監視装置８０に通知することから、該ＡＴＭ１０から紙幣を回収する回数を適切に行うことができる。
本発明によれば、ニアエンド状態を検知した制御部６０が監視装置へ通報する基準を複数設けることにより、新券の流通量に応じて通報基準を適宜変更することができることから、監視装置でＡＴＭの監視を行う管理者は紙幣をＡＴＭ１０に補充する係員を適切なタイミングで派遣することができる。
【実施例２】
【０１１３】
実施例１のＡＴＭ１０の制御部６０は、係員に設定パネルを介して設定情報記憶部４３の設定情報を設定させる制御を行ったが、実施例２のＡＴＭ１００の制御部６１は、監視装置と通信を行い、この通信で取得するデータに基づいて設定情報記憶部４３の設定情報を設定する。
実施例２のＡＴＭ１００の構成は、図１に示すように、制御部６１以外は前記した実施例１と同じである。制御部６１は、設定情報の設定動作以外は、前記した実施例１と同じであることから、設定動作以外の説明は割愛する。
【０１１４】
実施例２のＡＴＭ１００の設定動作が図２１のフローチャートに示されており、該フローチャートに沿って設定動作を説明する。尚、図２１は、図８−２に関連付けられている。
ＡＴＭ１００が、係員により起動されると、制御部６１はスタッカ３２ａ、３２ｂおよび３２ｃに紙幣が収容されているか否かを前記した実施例１と同様に確認する（ステップＳ１）。制御部６１は、スタッカのステージを上下させて、該ステージ上面に紙幣が集積されているか否かを図示しない各種センサを用いて判定する（ステップＳ２）。この判定でスタッカ３２ａ、３２ｂおよび３２ｃに紙幣を収容しているとき、制御部６１は電源遮断時の継続状態にあると判断し、ＡＴＭ１００を待機状態に遷移させる。
【０１１５】
一方、スタッカ３２ａ、３２ｂおよび３２ｃに紙幣が収容されていないとき、制御部６１は初期状態にあると判断し、ＡＴＭ１００が初期状態にあることを図示しない外部インタフェースを介して監視装置へ通知すべく、通信部１４の起動制御を行う。起動した通信部１４は、ＡＴＭ１００が初期状態であることを監視装置へ通知する（ステップＳ１００）。通知を受けた監視装置は、ＡＴＭ１００が初期状態であることを表示や音声案内で管理者に知らせる。
この知らせを受けた管理者は、監視装置の図示しない入力部から設定情報に必要なデータを入力し、該データをＡＴＭ１００へ送信する。管理者が入力するデータは、前記係員に持たせた補充カセット２０に収容する紙幣の券種を反映している。従って、前記係員は、単に補充カセット２０を入出金機７０に装填するだけであり、管理者が補充カセット２０に収容している紙幣の券種を把握している。
【０１１６】
ＡＴＭ１００の制御部６１は、通信部１４を介して監視装置と通信を行いデータを取得する（ステップＳ１０１）と、該データを設定情報記憶部４３の所定の相対アドレスに設定情報として保持する（ステップＳ１０２）。
以降の動作は、前記した実施例１におけるステップＳ１０から同じである。
前記したように、実施例２のＡＴＭ１００によれば、管理者が監視装置から遠隔的に設定情報を設定することにより、補充カセット２０を入出金機７０に装填する係員が設定情報を把握しなくても紙幣を装填することができる。従って、ＡＴＭ１００に紙幣を補充する係員の負担を軽減することができる。更に、実施例２のＡＴＭ１００によれば、ＡＴＭ１００の管理者でなくとも紙幣の補充を行うことができ、該ＡＴＭ１００を稼動させることができることから、ＡＴＭ１００のメンテナンス（紙幣補充・回収）を行う人員を適切に配置ならびに派遣することができ、ＡＴＭ１００の運用コストを低減することができる。
【実施例３】
【０１１７】
次に、同一金額で券種の異なる紙幣をスタッカに収容可能なＡＴＭ２００の動作を図２２のフローチャートを用いて説明する。尚、図２２は、図８−２に関連付けられている。
実施例３のＡＴＭ２００の構成は、図１に示すように、制御部６２以外は前記した実施例１と同じである。実施例３の制御部６２は、設定情報を設定する動作が前記した実施例と大きく異なる。従って、この設定動作を図２２のフローチャートと図７の設定情報の構成図を用いて説明する。
【０１１８】
ＡＴＭ２００が、係員により起動されると、制御部６２はスタッカ３２ａ、３２ｂおよび３２ｃに紙幣が収容されているか否かを前記した実施例１と同様に確認する（ステップＳ１）。制御部６２は、スタッカのステージを上下させて、該ステージ上面に紙幣が集積されているか否かを図示しない各種センサを用いて判定する（ステップＳ２）。この判定でスタッカ３２ａ、３２ｂおよび３２ｃに紙幣を収容しているとき、制御部６２は電源遮断時の継続状態にあると判断し、ＡＴＭ２００を待機状態に遷移させる。
【０１１９】
一方、スタッカ３２ａ、３２ｂおよび３２ｃに紙幣が収容されていないとき、制御部６２は初期状態にあると判断し、相対アドレス２００〜相対アドレス２０８と相対アドレス２２４〜相対アドレス２４０との設定情報の内容を変更するか否かを係員に問うべく、設定パネル７３の制御を行う（ステップＳ２００）。
係員が設定情報の変更を選択すると、制御部６２は、順次相対アドレス２００〜相対アドレス２０８と相対アドレス２２４〜相対アドレス２４０との内容を係員に設定させるべく、設定パネル７３の制御を行う。係員が設定パネル７３の表示に従って、順次相対アドレス２００〜相対アドレス２０８と相対アドレス２２４〜相対アドレス２４０との新たな設定情報のための入力を行う（ステップＳ２０１）。
前記した実施例１では、相対アドレス２００〜相対アドレス２０８の設定情報に「券種」を設定したが、実施例３では、「新券」、「旧券」を区別することなく紙幣の額面を示す「金種」が設定される。
【０１２０】
前記したステップＳ２００において、係員が設定情報を選択しないとき、またはステップＳ２０１において、新たな設定情報のための入力が終了すると、制御部６２は、この入力された内容を新たな設定情報として設定情報記憶部４３に保持する。本実施例では、相対アドレス２００に一万円券、相対アドレス２０４に一万円券、相対アドレス２０８に千円券、相対アドレス２２４に新旧切替え可、相対アドレス２２８にニアエンドの判定基準を新旧切替え時、相対アドレス２３２に紙幣エンドの判定基準を出金紙幣のエンド時、相対アドレス２３６に新旧券種表示を行う、相対アドレス２４０に新旧券種切替え時の通報を行う設定内容で、以降の説明を行う。
【０１２１】
設定情報として設定情報記憶部４３に保持した制御部６２は、係員に補充カセット２０を入出金機７０に装填させる案内を設定パネル７３に表示する制御を行う（ステップＳ２０２）。入出金機７０に補充カセット２０が装填されると、新たに設定した設定情報に基づいて、補充カセット２０に収容している紙幣が各スタッカ３２ａ、３２ｂ、および３２ｃに装填される（ステップＳ２０３）。
ステップＳ２０３における紙幣装填処理は、補充カセット２０の補充貨幣収納部２１から排出される紙幣を鑑別部１２で鑑別し、設定情報に示された券種における同一金額の紙幣を区別することなく所定のスタッカに収容する。つまり、鑑別結果が「新一万円券」および「旧一万円券」の紙幣は、同じスタッカに収容される。本実施例例では、新旧の一万円券は、スタッカ３２ａおよび３２ｂに収容され、新旧の千円券は、スタッカ３２ｃに収容される。スタッカに紙幣が収容されるとき、券種毎にその数量がカウントされ、そのカウント値が出金貨幣情報として出金貨幣情報記憶部４１で保持される。出金貨幣情報記憶部４１は、出金貨幣情報を前記した実施例と同様に、図５に示す相対アドレス０〜相対アドレス６８に券種毎の紙幣数量をスタッカ単位で保持している。
【０１２２】
ステップＳ２０３における紙幣装填処理において、制御部６２は、全ての紙幣を鑑別結果に基づいて所定のスタッカに収容すると、追加の補充カセット２０を装填、つまり紙幣が空になった補充カセット２０に代えて、新たに補充カセット２０を装填するか否かを係員に問うべく、設定パネル７３の制御を行う（ステップＳ２０４）。設定パネルの表示に従って係員が新たな補充カセットを追加装填する指示を行うと、制御部６２は前記したステップＳ２０４からの処理を行う。
【０１２３】
その後、制御部６２は、図５に示す出金貨幣情報を参照し、各スタッカ３２ａ、３２ｂおよび３２ｃに同一金額で種類が異なる紙幣を混合して収容しているか否かを調べる（ステップＳ２０５）。混合して収容しているとき、制御部６２はスタッカに収容している紙幣の金種を取得する。すなわち、スタッカ３２ａに「新一万円券」および「旧一万円券」を混合して収容しているとき、制御部６２は紙幣の額面を示す「一万円券」を金種として取得する。
【０１２４】
スタッカ毎に金種を取得した制御部６２は、取得した金種を図７に示す相対アドレス２１２〜相対アドレス２２０の設定情報に設定する。その後、制御部６２は、入金、出金、回収、補充および切替えなどの処理を設定した設定情報（金種）に基づいて、前記した実施例と同様に制御する（ステップＳ２０６）。
一方、前記したステップＳ２０５において、各スタッカ３２ａ、３２ｂおよび３２ｃに混在することなく同一金額で種類が同じ紙幣を収容しているとき、制御部６２は、スタッカに収容している紙幣の券種を取得し、該券種を図７に示す相対アドレス２１２〜相対アドレス２２０の設定情報に設定する。その後、制御部６２は、入金、出金、回収、補充および切替えなどの処理を設定した設定情報（券種）に基づいて、前記した実施例と同様に制御する（ステップＳ２０）。
【０１２５】
前記したように、実施例３のＡＴＭ２００によれば、制御部６２が補充カセット２０の紙幣を金種に基づいてスタッカ３２に収容する制御を行った後、出金貨幣情報を参照して、同一金額で種類の異なる紙幣、すなわち同一金額の新券および旧券をスタッカ３２に混在して収容したか否かを調べ、その結果を設定情報に設定し、同一金額で種類の異なる紙幣が混在しているときは金種に基づく制御を行い、混在していないときは券種に基づく制御を行うことにより、係員に新券および旧券の券種まで把握させることなく、金種だけを把握させて装填・補充処理を行うことができることから、装填・補充処理を行う係員の負担を軽減することができる。従って、係員が作業効率良くＡＴＭ２００に出金用紙幣を補充することがでることから、ＡＴＭ２００のメンテナンス（紙幣補充・回収）を行う人員を適切に配置ならびに派遣することができ、ＡＴＭ１００の運用コストを低減することができる。
【図面の簡単な説明】
【０１２６】
【図１】本発明のＡＴＭの機能ブロック図である。
【図２】本発明の入出金機の機能ブロック図である。
【図３】本発明のＡＴＭを用いたシステムのブロック図である。
【図４】本発明のＡＴＭを簡略的に示したブロック図である。
【図５】出金貨幣情報の構成図および補充貨幣情報の構成図である。
【図６】実施例１および実施例２の設定情報の構成図である。
【図７】実施例３の設定情報の構成図である。
【図８−１】ＡＴＭ１０の動作を示すフローチャートである（その１）。
【図８−２】ＡＴＭ１０の動作を示すフローチャートである（その２）。
【図９】装填・補充処理における紙幣の搬送経路を示す図である。
【図１０】ディスプレイ７５に表示される案内画面を示す図である。
【図１１】（ａ）案内板に表示される案内画面を示す図である。（ｂ）実施例１における新券出金時の取引表示装置の表示内容を示す図である。（ｃ）実施例１における旧券出金時の取引表示装置の表示内容を示す図である。（ｄ）実施例２における新券出金時の取引表示装置の表示内容を示す図である。（ｅ）実施例１および実施例２における旧券出金時の取引表示装置の表示内容を示す図である。
【図１２】紙幣数量確定処理における紙幣の搬送経路を示す図である。
【図１３】出金処理における紙幣の搬送経路を示す図である。
【図１４】入金処理における紙幣の搬送経路を示す図である。
【図１５】入金処理において一時収納部に収容している紙幣の搬送経路を示す図である。
【図１６】回収処理における紙幣の搬送経路を示す図である。
【図１７】受渡部１１の紙幣を利用者が取り忘れたときの処理において、紙幣の搬送経路を示す図である。
【図１８】補充紙幣転用処理における紙幣の搬送経路を示す図である。
【図１９】切替処理における紙幣の搬送経路を示す図である。
【図２０】切替処理後のディスプレイ７５に表示される案内画面を示す図である。
【図２１】実施例２のＡＴＭ１００における設定動作を示すフローチャートである。
【図２２】実施例３のＡＴＭ２００における設定動作を示すフローチャートである。
【符号の説明】
【０１２７】
１０  ＡＴＭ
１１  受渡部
１２  鑑別部
１３  搬送部
１４  通信部
１５  表示部
２０  補充カセット
２１  補充貨幣収納部
２２  回収貨幣収納部
２３  補充リジェクト部
３１  一時収納部
３２  出金貨幣収納部（スタッカ）
４０  記憶部
４１  出金貨幣情報記憶部
４２  補充貨幣情報記憶部
４３  設定情報記憶部
６０  制御部
【図１】
2005078397.tif 000003
【図２】
2005078397.tif 000004
【図３】
2005078397.tif 000005
【図４】
2005078397.tif 000006
【図５】
2005078397.tif 000007
【図６】
2005078397.tif 000008
【図７】
2005078397.tif 000009
【図８−１】
2005078397.tif 000010
【図８−２】
2005078397.tif 000011
【図９】
2005078397.tif 000012
【図１０】
2005078397.tif 000013
【図１１】
2005078397.tif 000014
【図１２】
2005078397.tif 000015
【図１３】
2005078397.tif 000016
【図１４】
2005078397.tif 000017
【図１５】
2005078397.tif 000018
【図１６】
2005078397.tif 000019
【図１７】
2005078397.tif 000020
【図１８】
2005078397.tif 000021
【図１９】
2005078397.tif 000022
【図２０】
2005078397.tif 000023
【図２１】
2005078397.tif 000024
【図２２】
2005078397.tif 000025